(57)【要約】【課題】 本発明は、上述の問題に鑑みてなされたものであって、ユーザがチャンバ内に容易に出入りすることができる高気圧式酸素供給装置およびチャンバを提供することを課題とする。【解決手段】 チャンバ１は、床面等に載置された基台４上において、ユーザの頭部側の第１分割チャンバ５と、ユーザの足部側の第２チャンバ６とに長さ方向に分割されている。第１チャンバ５が第２チャンバ６に対して重なり合いながら基台４上を長さ方向に摺動することにより開閉する。またチャンバ１は円錐台形状に形成されるとともに、チャンバ１内にリクライニング機構を有する寝台２が設けられている。【選択図】      図１
2010065726.tif 000002
【特許請求の範囲】
【請求項１】
ユーザを収容する剛性材料からなるチャンバと、該チャンバ内に長さ方向に設けられた寝台と、加圧源から前記チャンバ内に酸素を送り込んでチャンバ内を加圧するための加圧機構と、床面等に載置された基台とを備えた高気圧式酸素供給装置において、
前記チャンバは、前記基台上において長さ方向に延びる周壁部と、該周壁部におけるユーザの頭部側の端部に設けられた天板部と、該周壁部におけるユーザの足部側の端部に設けられた底板部とを備え、
前記チャンバの周壁部が長さ方向に分割されることにより複数の分割チャンバとなされ、隣り合う分割チャンバ同士においてユーザの頭部側の分割チャンバがユーザの足部側の分割チャンバに対して重なり合いながら基台上を長さ方向に摺動することを特徴とする高気圧式酸素供給装置。
【請求項２】
前記チャンバは、周壁部が長さ方向に２分割されることによりユーザの頭部側の第１分割チャンバとユーザの足部側の第２分割チャンバとなされ、第１分割チャンバが第２分割チャンバに対して重なり合いながら基台上を長さ方向に摺動する請求項１に記載の高気圧式酸素供給装置。
【請求項３】
前記チャンバは、ユーザの頭部側の分割チャンバからユーザの足部側の分割チャンバに亘って連続して直径が次第に小さくなるように円錐台形状に形成されている請求項１または請求項２に記載の高気圧式酸素供給装置。
【請求項４】
前記チャンバは、ユーザの最頭部側の分割チャンバ内の上隅部にチャンバ内の熱気を排気するための排気吸引口が設けられている請求項３に記載の高気圧式酸素供給装置。
【請求項５】
前記寝台は、ユーザの上半身が起き上がるためのリクライニング機構および／またはユーザの膝を曲げるためのリクライニング機構を有する請求項１ないし請求項４のいずれかに記載の高気圧式酸素供給装置。
【請求項６】
前記チャンバは、隣り合う分割チャンバの間の隙間を塞ぐシール部材が内周方向に沿って設けられている請求項１ないし請求項５のいずれかに記載の高気圧式酸素供給装置。
【請求項７】
前記シール部材は、前記分割チャンバの摺動距離に対応する長さの可撓性材料で形成され、一端部を頭部側の分割チャンバに接続され、他端部を足部側の分割チャンバに接続されている請求項６に記載の高気圧式酸素供給装置。
【請求項８】
前記チャンバは、透明または半透明の材料で形成されている請求項１ないし請求項７のいずれかに記載の高気圧式酸素供給装置。
【請求項９】
前記チャンバは、長さ方向に延びる補強バーがチャンバを取り囲む態様で周方向に沿って複数設けられている請求項１ないし請求項８のいずれかに記載の高気圧式酸素供給装置。
【請求項１０】
前記チャンバは、各分割チャンバが摺動部材を介して前記補強バーに接続されることにより前記補強バーに沿って摺動するものとなされている請求項９に記載の高気圧式酸素供給装置。
【請求項１１】
前記チャンバは、加圧源から送られてきた酸素をチャンバ内に供給する酸素供給口がユーザを取り囲む態様で内周方向に沿って複数設けられている請求項１ないし請求項１０のいずれかに記載の高気圧式酸素供給装置。
【請求項１２】
前記チャンバの天板部および／または底板部は、外方に膨らむ態様のドーム形状に形成されている請求項１ないし請求項１１のいずれかに記載の高気圧式酸素供給装置。
【請求項１３】
請求項１から請求項１２に記載の高気圧式酸素供給装置に用いられるチャンバであって、
前記基台上において長さ方向に延びる周壁部と、該周壁部におけるユーザの頭部側の端部に設けられた天板部と、該周壁部におけるユーザの足部側の端部に設けられた底板部とを備え、
前記チャンバの周壁部が長さ方向に分割されることにより複数の分割チャンバとなされ、隣り合う分割チャンバ同士においてユーザの頭部側の分割チャンバがユーザの足部側の分割チャンバに対して重なり合いながら基台上を長さ方向に摺動することを特徴とするチャンバ。
【発明の詳細な説明】
【技術分野】
【０００１】
本発明は、ユーザを収容するチャンバと、加圧源から前記チャンバ内に気体を送り込んでチャンバ内を加圧するための加圧機構を備えた高気圧式酸素供給装置およびそれに用いるチャンバに関するものである。
【背景技術】
【０００２】
密閉されたチャンバ内にユーザを収容し、加圧ポンプからチャンバ内に空気を送り込んでチャンバの内圧を周辺圧力よりも高くすることにより酸素濃度を上昇させて、チャンバ内のユーザに周辺圧力環境下での酸素吸入量よりも多量の酸素を取り込ませる高気圧式酸素供給装置がある（例えば特許文献１参照）。
【０００３】
高気圧式酸素供給装置に収容されたユーザにおいては、高濃度の酸素環境下に暴露されることによって体内の酸素濃度が上昇する。体内に取り込まれた酸素は、ヘモグロビンと結合する酸素と血液や体液（リンパ液など）に溶け込む酸素に分かれる。体内の酸素濃度の上昇にともない、血液や体液に溶け込む酸素が増大する。これらの酸素は、末梢の毛細血管内を容易に通過して細胞に酸素を運搬できる。体内の隅々まで酸素を供給するためには、血液や体液に溶け込む酸素が重要となる。
【０００４】
高気圧式酸素供給装置によれば、ユーザの体内に十分な酸素を隅々まで供給することによって速やかな疲労回復を期待できる。また、末梢の血液循環が改善するので、血流阻害が生じた部分の代謝活動が活発になり、冷え性を防いだり、血行障害による痛みをやわらげたり、障害の速やかな回復を期待できる。
【０００５】
高気圧式酸素供給装置は、例えば肉体労働者、スポーツ選手、喫煙家、液体窒素・ドライアイスや塗料を使用する仕事に従事する者、汚染された大気中で仕事に従事する者、高所（低酸素環境）や密閉された場所で仕事に従事する者、高齢者などを対象に使用され、また、怪我をしたときや肉体疲労後の使用に適する。また、高山病や一酸化炭素中毒の治療にも適する。すなわち、不足した酸素を速やかに補給したり、活動する毛細血管を増やしたり、血液量を増大する必要がある者に効果的である。また、美容や健康に関する分野での活用も考えられる。
【０００６】
高気圧酸素供給装置には、可撓性材料からなるソフト型のチャンバのほか、剛性材料からなるハード型のチャンバが知られている。そして、ハード型のチャンバの場合、一般にチャンバの頭部側にユーザが出入りできる程度の開口部が形成され、該開口部を扉により開閉するようになっている。
【０００７】
【特許文献１】特開平５−１０３７６５号公報
【特許文献２】特開２００７−１５４４９４号公報
【発明の開示】
【発明が解決しようとする課題】
【０００８】
しかしながら、従来のハード型のチャンバであると、開口部が狭い上に、チャンバの上部等の寝台よりも高い位置に形成されているために、ユーザがチャンバ内を出入りしにくいという問題があった。特に体が大きいユーザ、体が不自由なユーザ、あるいは高齢のユーザが使用するに際しては大きな問題であった。
【０００９】
本発明は、上述の問題に鑑みてなされたものであって、ユーザがチャンバ内に容易に出入りすることができる高気圧式酸素供給装置およびチャンバを提供することを課題とする。
【課題を解決するための手段】
【００１０】
本発明は、上記課題を解決するために、ユーザを収容する剛性材料からなるチャンバと、該チャンバ内に長さ方向に設けられた寝台と、加圧源から前記チャンバ内に酸素を送り込んでチャンバ内を加圧するための加圧機構と、床面等に載置された基台とを備えた高気圧式酸素供給装置において、前記チャンバは、前記基台上において長さ方向に延びる周壁部と、該周壁部におけるユーザの頭部側の端部に設けられた天板部と、該周壁部におけるユーザの足部側の端部に設けられた底板部とを備え、前記チャンバの周壁部が長さ方向に分割されることにより複数の分割チャンバとなされ、隣り合う分割チャンバ同士においてユーザの頭部側の分割チャンバがユーザの足部側の分割チャンバに対して重なり合いながら基台上を長さ方向に摺動することを特徴とする。これによればユーザの頭部側の分割チャンバがユーザの足部側の分割チャンバに対して重なり合いながら摺動して開くことにより、ユーザが出入りするための空間が少なくともチャンバの頭部側の全周に亘って広がるため、ユーザはチャンバ内に容易に出入りすることができる。
【００１１】
また、前記チャンバは、周壁部が長さ方向に２分割されることによりユーザの頭部側の第１分割チャンバとユーザの足部側の第２分割チャンバとなされ、第１分割チャンバが第２分割チャンバに対して重なり合いながら基台上を長さ方向に摺動するのが好ましい。これによれば最も基本的な構成にして、ユーザはチャンバ内に容易に出入りすることができる。
【００１２】
また、前記チャンバは、ユーザの頭部側の分割チャンバからユーザの足部側の分割チャンバに亘って連続して直径が次第に小さくなるように円錐台形状に形成されているのが好ましい。これによればチャンバ内の頭部側の空間が広くなるため、ユーザへの圧迫感を軽減することができる。しかも、チャンバ内の足部側の空間は狭いため、チャンバ全体の大きさを抑えることができる。なお、円錐台形状とは、横断面円形のもののほか、横断面多角形のものも含むものとする。
【００１３】
また、前記チャンバは、ユーザの最頭部側の分割チャンバ内の上隅部にチャンバ内の熱気を排気するための排気吸引口が設けられているのが好ましい。これによればチャンバが円錐台形状をしている場合、チャンバ内の熱気がユーザの最頭部側の分割チャンバ内の上隅部に溜まる性質を利用して熱気を排気することができるため、チャンバ内の効率的な排気が可能となる。
【００１４】
また、前記寝台は、ユーザの上半身が起き上がるためのリクライニング機構および／またはユーザの膝を曲げるためのリクライニング機構を有するのが好ましい。これによればユーザが最適な姿勢をとることができ、リラックス効果を高めることができる。
【００１５】
また、前記チャンバは、隣り合う分割チャンバの間の隙間を塞ぐシール部材が内周方向に沿って設けられているのが好ましい。これによれば隣り合う分割チャンバの間の隙間の気密性を向上させることができる。
【００１６】
また、前記シール部材は、前記分割チャンバの摺動距離に対応する長さの可撓性材料で形成され、一端部を頭部側の分割チャンバに接続され、他端部を足部側の分割チャンバに接続されているのが好ましい。これによればユーザの頭部側の分割チャンバを閉じているときはユーザの足部側のチャンバとの隙間を塞ぐことができるとともに、ユーザの頭部側の分割チャンバを開いたときは当該分割チャンバの動作に追随することができる。
【００１７】
また、前記チャンバは、透明または半透明の材料で形成されているのが好ましい。これによればユーザの圧迫感を軽減することができる。また、外部の人もユーザの状況を視認し得るため、装置使用における安心感を高めることができる。
【００１８】
また、前記チャンバは、長さ方向に延びる補強バーがチャンバを取り囲む態様で周方向に沿って複数設けられているのが好ましい。これによればチャンバ内に高気圧の酸素を供給したときでもチャンバ全体の剛性を高めることができる。
【００１９】
また、前記チャンバは、各分割チャンバが摺動部材を介して前記補強バーに接続されることにより前記補強バーに沿って摺動するものとなされている。これによればチャンバ全体の剛性を高めつつ、ユーザの頭部側の分割チャンバを基台上を長さ方向にスムーズに摺動することができる。
【００２０】
また、前記チャンバは、加圧源から送られてきた酸素をチャンバ内に供給する酸素供給口がユーザを取り囲む態様で内周方向に沿って複数設けられているのが好ましい。これによればユーザに対してシャワー状に酸素を供給することができ、より一層効果的な酸素供給が可能となる。
【００２１】
また、前記チャンバの天板部および／または底板部は、外方に膨らむ態様のドーム形状に形成されているのが好ましい。これによれば酸素供給によりチャンバの内圧が高まった場合、チャンバの天板部や底板部にも内圧がかかるが、外方に膨らむ態様のドーム形状とすることにより当該内圧を分散することができ、周壁部との接合部分の破損を防止することができる。
【００２２】
本発明に係るチャンバは、上述の高気圧式酸素供給装置に用いられるチャンバであって、前記基台上において長さ方向に延びる周壁部と、該周壁部におけるユーザの頭部側の端部に設けられた天板部と、該周壁部におけるユーザの足部側の端部に設けられた底板部とを備え、前記チャンバの周壁部が長さ方向に分割されることにより複数の分割チャンバとなされ、隣り合う分割チャンバ同士においてユーザの頭部側の分割チャンバがユーザの足部側の分割チャンバに対して重なり合いながら基台上を長さ方向に摺動することを特徴とする。これによればユーザの頭部側の分割チャンバがユーザの足部側の分割チャンバに対して重なり合いながら摺動して開くことにより、ユーザが出入りするための空間が少なくともチャンバの頭部側の全周に亘って広がるため、ユーザはチャンバ内に容易に出入りすることができる。
【発明の効果】
【００２３】
本発明によれば、ユーザの頭部側の分割チャンバがユーザの足部側の分割チャンバに対して重なり合いながら摺動して開くことにより、ユーザが出入りするための空間が少なくともチャンバの頭部側の全周に亘って広がるため、ユーザはチャンバ内に容易に出入りすることができる。
【００２４】
また、分割チャンバを持ち上げて開くものでなく、単に分割チャンバを摺動して開くため、大きな力をかけることなく簡単に開閉することができる。
【００２５】
さらに、ユーザの頭部側の分割チャンバがユーザの足部側の分割チャンバに重なり合いながら摺動するため、開閉に際して特別な空間が必要とならず、本装置を狭い箇所にも設置することができる。
【００２６】
さらにまた、チャンバ内の寝台の頭部側が露出した状態となるため、ユーザは寝台に腰掛けながら出入りすることができ、健常者のユーザはもとより、体が不自由なユーザや高齢のユーザにも使用し易いものとなる。
【発明を実施するための最良の形態】
【００２７】
次に本発明の一実施形態に係る高気圧酸素供給装置（以下、本装置という）について図面を参照しつつ説明する。なお、本実施形態では、頭部側とはユーザがチャンバ（１）内で横たわったときの頭部の方向（図１および図２のチャンバの右側）を示し、足部側とは同じくユーザがチャンバ（１）内で横たわったときの足部の方向（図１および図２のチャンバの左側）を示すものとする。
【００２８】
本装置は、ユーザを収容する剛性材料からなるチャンバ（１）と、チャンバ（１）内に長さ方向に設けられた寝台（２）と、チャンバ（１）内に酸素を送り込んでチャンバ（１）内を加圧するための加圧機構（３）と、床面等に載置された基台（４）とを備える。
【００２９】
前記加圧機構（３）は、内部に加圧ポンプからなる加圧源（３１）を有し、チャンバ内に配管を介して高気圧の酸素（場合によってはさらに濃縮した酸素）を供給したり、チャンバ内の熱気を排気したりするものである。この加圧機構については、従来の技術（例えば特許第３７２００３２号）のものと同一であり、詳細な説明は省略する。
【００３０】
前記チャンバ（１）は、床面等に載置された基台（４）上において、ユーザの頭部側の第１分割チャンバ（５）と、ユーザの足部側の第２分割チャンバ（６）とに長さ方向に分割されている。
【００３１】
前記基台（４）は、第１分割チャンバ（５）および第２分割チャンバ（６）を支承するものである。この基台（４）は、頭部側から足部側にかけて次第に幅が狭くなる平面視台形状に形成されている。また、長さ方向の両端部には支承枠（４１）（４２）が立設されている。基台（４）は、第１分割チャンバ（５）、第２分割チャンバ（６）、およびユーザの重量に耐えうるために金属材料または木製材料等で形成されている。
【００３２】
前記第１分割チャンバ（５）は、長さ方向に延びる筒状の周壁部（５１）と、円形状のフレーム枠（５２）と、ドーム形状の天板部（５３）とを備え、基台（４）上において略水平状態に設けられている。
【００３３】
前記周壁部（５１）は、ユーザの頭部側から足部側に向かって次第に直径が小さくなる横断面円形の円錐台形状に形成されている。また、周壁部（５１）の頭部側端部には金属製の大径円形枠（５４）が設けられるとともに、足部側端部には金属製の小径円形枠（５５）が設けられている。
【００３４】
周壁部（５１）の材質は、特に限定されるものではないが、本装置全体の重量を軽減するために合成樹脂製が挙げられる。さらに、周壁部（５１）を透明または半透明とした場合、ユーザの圧迫感を軽減することができるとともに、外部の人もユーザの状況を視認し得るため、装置使用における安心感を高めることができる。
【００３５】
なお、周壁部（５１）は、基台（４）上を長さ方向に摺動し得るものとなされているが、具体的な機構については後述する。
【００３６】
前記フレーム枠（５２）は、周壁部（５１）の大径円形枠（５４）の直径に対応する直径に形成されており、基台（４）の支承枠（４１）に鉛直に立設されている。このフレーム枠（５２）には、第１分割チャンバ（５）が閉じたときにロックするためのロック装置（５６）が周方向に沿って設けられている。
【００３７】
このロック装置（５６）は、図４に示すように、差込口（５６ａ）が設けられており、この差込口（５６ａ）に周壁部（５１）の大径円形枠（５４）が差し込まれてロックされるようになっている。具体的には、大径円形枠（５４）の先端部に凹み（５４ａ）が形成されており、レバー（５６ｃ）の操作により図４（ｂ）に示すようにロック装置（５６）内の突起部（５６ｂ）が内側に突出して、大径円形枠（５４）の凹み（５４ａ）に嵌合することによりロックされる。
【００３８】
前記天板部（５３）は、外方に向かって膨らむ態様のドーム状に形成されており、フレーム枠内に嵌め込まれている。チャンバ（１）内に酸素が供給されると内圧が高まることにより天板部（５３）にも大きな内圧がかかることになる。このとき天板部（５３）が平板状であると、内圧によりフレーム枠（５２）と天板部（５３）との接続部分に負担がかかり、場合によっては破損する可能性がある。ここで天板部（５３）を外方に膨らむ態様のドーム形状とすれば、天板部（５３）にかかる内圧を適度に分散することにより破損を防止することができる。
【００３９】
前記第２分割チャンバ（６）は、長さ方向に延びる筒状の周壁部（６１）と、円形状のフレーム枠（６２）と、ドーム形状の底板部（６３）とを備え、基台（４）上において略水平状態に設けられている。
【００４０】
前記周壁部（６１）は、頭部側から足部側に向かって次第に直径が小さくなる横断面円形の円錐台形状に形成されている。そして、第１分割チャンバ（５）の周壁部（５１）から第２分割チャンバ（６）の周壁部（６１）に亘って連続して直径が次第に小さくなるように円錐台形状に形成されることになる。このようにチャンバ（１）を円錐台形状とすることによりチャンバ（１）内の頭部側の空間が広くなるため、ユーザへの圧迫感を軽減することができる。しかも、チャンバ（１）内の足部側の空間は狭いため、チャンバ（１）全体の大きさを抑えることができる。
【００４１】
また、周壁部（６１）の頭部側端部には金属製の大径円形枠（６４）が設けられるとともに、足部側端部には金属製の小径円形枠（６５）が設けられている。
【００４２】
第１分割チャンバ（５）が閉じたときには第１分割チャンバ（５）と第２分割チャンバ（６）との間の隙間を出来るだけ小さいものとするために、第２分割チャンバ（６）の大径円形枠（６４）の外径を第１分割チャンバ（５）の小径円形枠（５５）の内径より微妙に小さくなるように形成されている。
【００４３】
また、図３に示すように、第１分割チャンバ（５）の小径円形枠（５５）の先端部にはコ字形状の突起片（５５ａ）が形成され、第２分割チャンバ（６）の大径円形枠（６４）の先端部には該係合片に対応する別の凹部（６４ａ）が形成されている。これにより第１分割チャンバ（５）を閉じると、第１分割チャンバ（５）の突起片（５５ａ）が第２分割チャンバ（６）の凹部（６４ａ）に嵌まることにより、第１分割チャンバ（５）と第２分割チャンバ（６）の隙間ができるだけ生じないようになっている。
【００４４】
周壁部（６１）の材質は、特に限定されるものではないが、本装置全体の重量を軽減するために合成樹脂製が挙げられる。
【００４５】
前記フレーム枠（６２）は、周壁部（６１）の小径円形枠（６５）の直径に対応する直径に形成されており、基台（４）の支承枠に鉛直に立設されている。 このフレーム枠（６２）にもロック装置（５６）が周方向に沿って設けられているが、第２分割チャンバ（６）は通常では摺動する必要がないため、周壁部（６１）とフレーム枠（６２）とは常時ロック状態になっている。
【００４６】
前記底板部（６３）は、外方に向かって膨らむ態様のドーム状に形成されており、フレーム枠（６２）内に嵌め込まれている。底板部（６３）をドーム形状とすることの作用効果については第１分割チャンバ（５）の天板部（５３）と同様である。
【００４７】
前記チャンバ（１）の周囲には、長さ方向に延びる補強バー（７）がチャンバ（１）を取り囲む態様で周方向に沿って複数設けられている。この補強バー（７）は金属製等の剛性のある部材で形成されており、一端部を第１分割チャンバ（５）のフレーム枠（５２）に接続され、他端部を第２分割チャンバ（６）のフレーム枠（６２）に接続されている。このようにチャンバ（１）の周囲に補強バー（７）を設けることにより、チャンバ（１）内に高気圧の酸素を供給したときでもチャンバ（１）全体の剛性を高めることができる。
【００４８】
また、本実施形態では、第１分割チャンバ（５）が補強バー（７）に接続され、補強バー（７）に沿って長さ方向に摺動するようになっている。具体的に説明すると、第１分割チャンバ（５）の大径円形枠（５４）と小径円形枠（５５）の外周面に摺動部材（８）が補強バー（７）に対応する位置に周方向に沿って設けられている。この摺動部材（８）は、補強バー（７）が貫通されるリング部材（８１）と、長さ方向に伸縮する伸縮部材（８２）とからなる。
【００４９】
これにより第１分割チャンバ（５）を閉じた状態から足部側の長さ方向に力をかけると、各摺動部材（８）のリング部材が補強バー（７）上を移動するため、図１および図２の点線に示すように、第１分割チャンバ（５）を足部側に摺動させることができる。このとき第１分割チャンバ（５）の移動に伴って、補強バー（７）間の距離が狭くなっていくが、摺動部材（８）の伸縮部材（８２）が収縮することにより対応できるようになっている。
【００５０】
一方、第１分割チャンバ（５）を開いた状態から頭部側の長さ方向に力をかけると、各摺動部材（８）のリング部材が補強バー（７）上を移動するため、図１および図２の実線に示すように、第１分割チャンバ（５）を頭部側に摺動させることができる。このとき第１分割チャンバ（５）の移動に伴って、補強バー（７）間の距離が広くなっていくが、摺動部材（８）の伸縮部材（８２）が伸張することにより対応できるようになっている。
【００５１】
前記チャンバ（１）は、第１分割チャンバ（５）が閉じられたときに第１分割チャンバ（５）と第２分割チャンバ（６）の間の隙間を塞ぐシール部材（９）が周方向に沿って設けられている。図３に示すように、第１分割チャンバ（５）の小径円形枠（５５）と第２分割チャンバ（６）の大径円形枠（６４）の間には隙間がほとんど生じていない。しかしながら、隙間を完全になくすものとすると、両円形枠（５５）（６４）間に大きな摩擦力が生じて第１分割チャンバ（５）を開閉しにくくなる。このため実際にはわずかな隙間が生じるようにするが、これだとチャンバ（１）内の気密性が若干低下することになる。そこで、第１分割チャンバ（５）の小径円形枠（５５）と第２分割チャンバ（６）の大径円形枠（６４）の間の隙間を塞ぐシール部材（９）を周方向に設けることによりチャンバ（１）内の気密性を向上することができる。
【００５２】
本実施形態では、シール部材（９）は、第１分割チャンバ（５）の摺動距離に対応する長さの可撓性材料で形成され、一端部を第１分割チャンバ（５）に接続され、他端部を第２分割チャンバ（６）に接続されている。これにより第１分割チャンバ（５）を閉じているときは第２分割チャンバ（６）との隙間を塞ぐことができるとともに、第１分割チャンバ（５）を開いたときは第１分割チャンバ（５）の動作に追随することができ、第１分割チャンバ（５）の開閉動作にかかわらず気密性を維持することができる。
【００５３】
前記チャンバ（１）は、内部に長さ方向に延びる寝台（２）が設けられている。この寝台（２）はユーザが横たわるためのものである。この寝台（２）は、ユーザの上半身が起き上がるためのリクライニング機構や、ユーザの膝を曲げるためのリクライニング機構を有しており、ユーザが最適な姿勢をとることができ、リラックス効果を高めることができる。
【００５４】
図５は、本装置における配管構成を示す図である。
【００５５】
（１０）は加圧源から送られてきた酸素を供給するための酸素供給用配管、（１１）はチャンバ（１）内の圧力を検知するための圧力検知用配管、（１２）はチャンバ（１）内の圧力を調整するためと空気を換気する換気用配管、（１３）はチャンバ（１）内の熱気を排気するための排気用配管、（１４）は各種ケーブル用配管である。これら配管（１０）〜（１４）は第１分割チャンバ（５）のフレーム枠（５２）または第２分割チャンバ（６）のフレーム枠（６２）に設けられ、それぞれ加圧機構（３）に接続されている。
【００５６】
この酸素供給用配管（１０）は、チャンバ（１）の内周方向に沿ってユーザを取り囲む態様で４個の酸素供給口（１０ａ）が設けられている。このためユーザに対してシャワー状に酸素を供給することができ、より一層効果的な酸素供給が可能となる。
【００５７】
また、排気用配管（１３）は、チャンバ（１）内の上隅部に排気吸引口（１３ａ）が設けられている。本実施形態のようにチャンバ（１）が円錐台形状に形成されている場合、チャンバ（１）内の熱気は性質上最も高い位置である第１分割チャンバ（５）の上隅部に溜まる。このため第１分割チャンバ（５）の上隅部に排気吸引口（１３ａ）を設けるものとすれば、効率的な排気が可能となる。
【００５８】
次に本装置の使用方法について説明する。
【００５９】
本装置の使用に際しては、第１分割チャンバ（５）を頭部側から足部側に力をかけると、図１および図２の点線に示すように、第１分割チャンバ（５）が基台（４）上の長さ方向に摺動して開くことができる。
【００６０】
このとき、ユーザが出入りするための空間がチャンバ（１）の頭部側の全周に亘って広がり、チャンバ（１）内の寝台（２）の頭部側半分が露出した状態となる。
【００６１】
そして、ユーザは寝台（２）に腰掛けたあと、そのまま両足を第２分割チャンバ（６）内に入れたあと、体を多少第２分割チャンバ（６）内にずらせば、体全体がチャンバ（１）内に収容された状態となる。
【００６２】
あとは、第１分割チャンバ（５）を足部側から頭部側に力をかけると、第１分割チャンバ（５）が基台（４）上の長さ方向に摺動し、図１および図２の実線に示すように、第１分割チャンバ（５）の周壁部（５１）とフレーム枠（５２）をロック装置（５６）によりロックすればチャンバ（１）を気密状態に閉じることができる。
【００６３】
このように第１分割チャンバ（５）が摺動して開くことにより、ユーザが出入りするための空間がチャンバ（１）の頭部側の全周に亘って広がるため、ユーザはチャンバ（１）内に容易に出入りすることができる。
【００６４】
また、第１分割チャンバ（５）を持ち上げて開くものでなく、単に第１分割チャンバ（５）を摺動して開くため、大きな力をかけることなく簡単に開閉することができる。
【００６５】
さらに、第１分割チャンバ（５）が第２分割チャンバ（６）に重なり合いながら摺動するため、開閉に際して特別な空間が必要とならず、狭い箇所にも設置可能である。
【００６６】
さらにまた、チャンバ（１）内の寝台（２）の頭部側が露出した状態となるため、ユーザは寝台（２）に腰掛けながら出入りすることができ、健常者のユーザはもとより、体が不自由なユーザや高齢のユーザにも使用し易いものとなる。
【００６７】
なお、本実施形態では、チャンバ（１）を円錐台形状に形成したが、円筒形状などその他の形状であってもよい。
【００６８】
また、第１分割チャンバ（５）を第２分割チャンバ（６）より大径に形成することにより、第１分割チャンバ（５）が第２分割チャンバ（６）の外側に重なるものとしたが、第１分割チャンバ（５）を第２分割チャンバ（６）よりも小径に形成することにより第１分割チャンバ（５）が第２分割チャンバ（６）の内側に重なるものとしてもよい。
【００６９】
また、第１分割チャンバ（５）を補強バー（７）に沿って摺動させるものとしたが、基台（４）上に別に設けられたレール等により摺動させてもよい。このとき第１分割チャンバ（５）が第２分割チャンバ（６）の周壁部（６１）上をスムーズに摺動するために車輪部材を設けるものとしてもよい。
【００７０】
また、チャンバ（１）を横断面円形の円錐台形状としたが、横断面多角形の円錐台形状としてもよい。
【００７１】
また、チャンバ（１）を不透明材料とした場合には、ユーザの頭部側付近において透明の窓部を設けるものとしてもよい。
【００７２】
また、ロック装置は上述のものに限定されるものではなく、分割チャンバを確実に閉じるものであればその他の構造のものであってもよい。
【００７３】
また、チャンバ（１）を第１分割チャンバ（５）と第２分割チャンバ（６）に長さ方向に２分割するものとしたが、これに限定されるものではなく、３つ以上の分割チャンバに長さ方向に複数分割してもよい。
【図面の簡単な説明】
【００７４】
【図１】本装置のチャンバの側面図である。
【図２】図１のチャンバの平面図である。
【図３】第１分割チャンバと第２分割チャンバの間の拡大図である。
【図４】ロック装置の機構を示す構成概略図である。
【図５】図１のチャンバの配管機構を示す構成概略図である。
【符号の説明】
【００７５】
１…チャンバ
２…寝台
３…加圧機構
３１…加圧源
４…基台
４１，４２…支承枠
５…第１分割チャンバ
５１…周壁部
５２…フレーム枠
５３…天板部
５４…大径円形枠
５５…小径円形枠
５６…ロック装置
６…第２分割チャンバ
６１…周壁部
６２…フレーム枠
６３…底板部
６４…大径円形枠
６５…小径円形枠
７…補強バー
８…摺動部材
８１…リング部材
８２…収縮部材
９…シール部材
１０…酸素供給用配管
１１…圧力検知用配管
１２…換気用配管
１３…排気用配管
１４…各種ケーブル用配管
【図１】
2010065726.tif 000003
【図２】
2010065726.tif 000004
【図３】
2010065726.tif 000005
【図４】
2010065726.tif 000006
【図５】
2010065726.tif 000007